(57)【特許請求の範囲】
【請求項１】
住宅の屋上に屋上設置物を取り付ける取付構造であって、躯体に固定されると共に屋上面の上部に突出し雨仕舞された円筒管からなる柱金物と、前記柱金物に固定される固定片と該固定片に対し直角に配置され屋上設置物を取り付ける取付片を有する取付金具とを有し、前記取付金具の取付片に屋上設置物を取り付けると共に前記柱金物の側面に前記取付金具の固定片を当接し両端部にボルトを設けた可撓性を有するバンド、又はＵボルトを用いて固定することで、屋上に屋上設置物を取り付けたことを特徴とする屋上設置物の取付構造。
【請求項２】
前記取付金具の固定片及び取付片には横方向に長い長孔が設けられており、前記固定片の柱金物への固定は該長孔に前記バンドの両端部のボルト又はＵボルトを差し込んで締結するものであり、前記取付片に対する屋上設置物の取り付けは該長孔にボルトを差し込んで締結するものであることを特徴とする請求項１に記載した屋上設置物の取付構造。
【発明の詳細な説明】
【０００１】
【発明の属する技術分野】
本発明は、屋上に設置する屋上設置物を躯体に取り付けるための取付構造に関するものである。
【０００２】
【従来の技術】
最近では鉄骨造の躯体を持った住宅が増加している。このような住宅であっても屋上を利用することは一般的ではなく、単に物干し程度に利用されているに過ぎない。屋上に設置して利用し得る構造物として物置や温室、或いはパーゴラや物干し台等があるが、これらは全て地上に設置することを想定しており、固定方法は地中に打ち込んだ杭やコンクリートブロック或いはコンクリートにアンカーを取るように構成されている。また物置や温室等の構造物であっても、モジュールが住宅のモジュールと一致している保証はないのが一般的である。
【０００３】
【発明が解決しようとする課題】
既設の屋上に市販の物置や温室、或いはパーゴラや物干し台等を設置する場合、これらの設置物を躯体に対して固定することが出来ず、風に対する安定性をはかるためには重石によって対応せざるを得ない。このため、躯体に余分な荷重を作用させるにも関わらず、風や地震に対して充分な安定性を有する保証がないという問題がある。
【０００４】
また新築時に上記設置物を屋上に設置することを計画した場合であっても、各設置物に対応させた個別の固定金具を設計して躯体に取り付けておくことが必要となり、コストの上昇要因となるという問題がある。
【０００５】
本発明の目的は、屋上に対して設置物を取り付ける際に有利な取付構造を提供することにある。
【０００６】
【課題を解決するための手段】
上記課題を解決するために本発明に係る屋上設置物の取付構造は、住宅の屋上に屋上設置物を取り付ける取付構造であって、躯体に固定されると共に屋上面の上部に突出し雨仕舞された円筒管からなる柱金物と、前記柱金物に固定される固定片と該固定片に対し直角に配置され屋上設置物を取り付ける取付片を有する取付金具とを有し、前記取付金具の取付片に屋上設置物を取り付けると共に前記柱金物の側面に前記取付金具の固定片を当接し両端部にボルトを設けた可撓性を有するバンド、又はＵボルトを用いて固定することで、屋上に屋上設置物を取り付けたものである。
【０００７】
上記構成において、前記取付金具の固定片及び取付片には横方向に長い長孔が設けられており、前記固定片の柱金物への固定は該長孔に前記バンドの両端部のボルト又はＵボルトを差し込んで締結するものであり、前記取付片に対する屋上設置物の取り付けは該長孔にボルトを差し込んで締結するものであることが好ましい。
【０００８】
上記屋上設置物の取付構造では、屋上面から突出させた柱金物に、取付片と固定片を有する取付金具を固定し、取付片に屋上設置物を取り付けることで、間接的に躯体に取り付けることが出来る。このため、屋上設置物に重石を設ける必要がなく、安定した取付状態を保持することが出来る。
【０００９】
特に、取付金具の固定片に長穴を形成することで屋上設置物の取付位置の自由度を向上することが出来、且つ取付金具の柱金物に対する固定をＵボルトやバンド等によって行なうことで、高さ方向の取付位置の自由度を向上することが出来る。従って、屋上設置物の位置がグリッド，モジュールと異なる場合であっても、容易に取り付けることが出来る。
【００１０】
【発明の実施の形態】
以下、屋上設置物の取付構造について図を用いて説明する。図１は屋上を設計する際の工程を説明するフロー図である。図２は図１の工程に於ける要所を表す図である。図３は屋上の設計例を示す図である。図４は屋上設置物の取付構造を説明する縦断面図である。図５は屋上設置物の取付構造を説明する平面図である。図６は温室を取り付ける構造を説明する図である。図７は物置を取り付ける構造を説明する図である。図８は木製のスクリーンを取り付ける構造を説明する図である。
【００１１】
屋上の設計方法の好ましい手順を図１のフロー図に従って説明する。尚、予め用意されたツールとなる屋上の設計例として、屋上の広さや屋上に設置すべき設置物の種類等に応じて多数の例が用意され、夫々の例を実現するために屋上設置物の価格表、特に屋上設置物のサイズの変化に対応させた価格表、及び必要な屋上設置物の価格を積算した積算表等が用意される。
【００１２】
本設計例では、屋上の設計例の一例として図３のような屋上の例を示している。ここで、図３について概略的に説明する。図３は建物の屋上に庭園を構成する例を示すものであり、屋上Ａの利用範囲を手摺り１によって他の部分から区画し、この範囲内に屋上設置物として、温室２、簡易水耕栽培器３、物置４、木製のスクリーン５、物干し台６、パーゴラ又はスカイフレーム７、遊具８を配置すると共に夫々固定金具によって建物の本体（躯体）に取り付けている。また図に於ける９はペントハウスである。
【００１３】
尚、上記屋上の設計例は単なる例にすぎず、利用範囲の面積や形状、屋上Ａに配置すべき屋上設置物の種類や数等は何ら限定すべきものではなく、異なる形状と面積を持った屋上に異なる種類や数の屋上設置物を配置した多数の屋上を設計することが可能であり、これらの設計例の数が多くなることが望ましい。
【００１４】
以下の設計方法では、図３に示す例に基づいて該例を設計する場合について説明する。
【００１５】
先ず、ステップＳ１に示す設計条件入力工程では、屋上Ａを利用するに当たって必要な条件を抽出して入力する。このような条件としては法令に基づく規制や顧客の要望及び予算等がある。従って、目的の住宅に適用される法令に基づいて屋上Ａの利用可能な範囲を設定することが可能であり、この利用可能な範囲の中から要望及び予算に基づいて最終的な設計を行なうことが可能である。
【００１６】
次に、ステップＳ２に示す利用範囲設定工程では、ステップＳ１で設定された屋上Ａの利用可能な範囲の中から実際に利用する範囲を決定すると共に決定された利用範囲の外周に手摺り１を配置する。屋上Ａの利用範囲を決定するに当たり、予め用意された図３の屋上の設計例が基準とされ、顧客の要望や予算、ペントハウスからの導線及び建物全体の外観等を考慮する。
【００１７】
また屋上Ａに手摺り１を配置する場合には、住宅本体のグリッド（２階の天井を構成するグリッド），モジュールを基準とし、手摺り１が原則としてグリッドに一致するように考慮する。従って、屋上ＡはステップＳ１で設定された利用可能範囲の中に存在するグリッド，モジュールに規制されて決定される。
【００１８】
上記グリッドは、鉄骨造の建物に於ける柱を含む平面をいい、構造計算を実施する上での基準である。しかし、建物に設定されたグリッドが全て同一の面積である必要はなく、個々のグリッドが互いに異なる形状と面積を有する場合もある。またモジュールは目的の建物に設定された基準寸法である。
【００１９】
従って、手摺り１或いは他の屋上設置物をグリッドと一致させて配置すると共に該グリッドを構成する梁に固定することによって、これらの重量を建物の躯体によって支持すると共に作用する水平力を支持することが可能である。
【００２０】
ステップＳ３に示すゾーニング工程では、手摺り１によって区画された屋上Ａのスペースを、図３の設計例に基づく顧客の要望に従って用途別のスペースに割り振る。
【００２１】
本設計例では、図２（ａ）に示すように、ペントハウス９から出て正面に菜園スペース２ａが割り振られ、該菜園スペース２ａの左側に作業スペース４ａが、ペントハウス９と作業スペース４ａに囲まれた位置にプレイスペース８ａが、菜園スペース２ａの右側にホビー休息スペース７ａが割り振られ、更にホビー休息スペース７ａの近傍に緑化スペース10ａが割り振られている。
【００２２】
屋上Ａを用途別にゾーニングする際には、特に、日照や隣家からの視線或いは隣家への視線、及びペントハウスからの導線等が検討され、夫々最適な位置に割り振りされる。
【００２３】
次に、ステップＳ４に示すグリッド配置工程では、屋上Ａに於ける手摺り１によって区画された範囲、特に屋上設置物（温室２〜スカイフレーム７，遊具８）等が配置されることが予測されるスペース２ａ〜８ａ，10ａ等に直下階（本実施例では２階）のグリッドを転記する。この場合、図２（ｂ）に示すように、２階のグリッドを構成する梁11の位置を転記することが必須であり、梁11の位置を転記することによって、後述する屋上設置物を配置する作業を容易に行なうことが可能となる。
【００２４】
次に、ステップＳ５に示す屋上設置物の配置工程では、ステップＳ３で割り振られた用途別のスペース２ａ〜８ａ，10ａに対し、ステップＳ４で転記されたグリッドの梁11の位置を基準として温室２〜スカイフレーム７，遊具８を配置する。各スペース２ａ〜８ａ，10ａに配置された温室２〜スカイフレーム７，遊具８は、図２（ｂ）に示すように、梁11に一致させて或いは梁11の近傍に配置される。特に、屋上設置物の幅或いは長さが梁11の間隔に一致しないような場合、梁11の間にバランス良く位置し得るように配置する。
【００２５】
屋上設置物の平面寸法が建物のモジュールと一致したモジュールに設定されている場合、該屋上設置物の位置を梁11に一致させることはさほど困難ではない。しかし、一般に温室や物置の基準寸法が建物のモジュールと一致することはまれである。このため、特に重量が大きい温室や物置を配置する場合、配置部位の付近に梁が存在しないときには、ステップＳ５に戻って２階のグリッドに新たな梁11を加えることが好ましい。このように、必要に応じて建物の躯体に新たな梁を加えることで、重量が大きい屋上設置物であっても安定した状態で取り付けることが可能となる。
【００２６】
尚、本設計例に於いて、緑化スペース10ａは花壇10として性格付けされている。
【００２７】
次に、ステップＳ６に示す固定金具算出及び配置工程では、屋上設置物を建物の躯体に取り付ける固定金具12の数を算出すると共に該固定金具12の位置を決定する。前記固定金具12は、後述する取付構造で詳述するように、一方の端部が建物の躯体を構成する梁11に固定されると共に他方の端部が屋上Ａの屋上面から突出した柱状の金物と、この柱状の金物と屋上設置物を接続する取付用の金具と、を有して構成されている。
【００２８】
固定金具12は、該固定金具12を構成する柱状の金物の太さ，肉厚，長さ、梁11に対する固定構造等の条件を設定しておくことによって、耐引抜き力や曲げ強度等の設計条件を設定することが可能である。従って、屋上設置物が温室２や物置４である場合、これらの屋上設置物に収容する内容物を含む重量や平面積及び壁の面積が決まると、風や地震に伴って作用する水平力を計算することが可能である。このため、屋上設置物毎の重量及び計算された水平力に応じて固定金具12の数を決定することが可能である。
【００２９】
但し、例えばスカイフレーム７のように、屋上設置物が平面的な形状を有するものである場合、重量が小さく且つ壁を有しないために風の影響を考慮する必要がなくとも、安定した取付状態を実現するために強度上過剰な数の固定金具12を用いることもある。
【００３０】
上記の如くして、図２（ｃ）に示すように、各屋上設置物に対応させて固定具12の数と配置位置を設定することが可能である。
【００３１】
次に、ステップＳ７に示す構造チェック工程では、屋上Ａに配置された屋上設置物の重量や、これらに作用する水平力を考慮して建物本体の構造計算を行い。安全性を充分に満足し得ることを確認してステップＳ８に移行する。
【００３２】
ステップＳ８に示す詳細設計工程では、屋上設置物としての例えば温室２の内部設計や、温室２及び簡易水耕栽培器３への給排水，電気、屋上の仕上げ材料、装飾品等の設計、及びカラーコーディネイト等の設計を行なう。
【００３３】
更に、ステップＳ９に示す図書の作成工程では、屋上Ａの平面図（図２（ｄ）参照）や設備図或いは鳥瞰図等の必要な図面及び書類を作成する。
【００３４】
上記の如くして目的の建物に於ける屋上Ａの設計が終了する。
【００３５】
次に、固定金具12を用いて屋上設置物を建物の躯体に取り付ける取付構造について図４〜図８により説明する。
【００３６】
固定金具12は、一方の端部が建物の躯体を構成する梁11に固定され且つ他方の端部が屋上Ａの表面から片持ち梁状に突出した柱状の金物である柱部材13と、この柱部材13の長手方向の所望の位置に対して着脱可能に取り付けられ且つ所定部位に屋上設置物を取り付ける取付金具14と、を有して構成されている。
【００３７】
このように、柱部材13は屋上Ａを貫通して設けられるため、該柱部材13の外周面であって少なくとも屋上Ａの近傍は雨仕舞がなされている。即ち、柱部材13は、屋上面との接合部位から所定長さ範囲にわたって屋上Ａのシート防水15が施工されており、このシート防水15によって屋内への漏水を防止し得るように構成されている。
【００３８】
従って、前述した屋上の設計方法に従って固定金具12を配置した屋上Ａを構成する場合、先ず固定金具12の下端をボルト16によって梁11に固定し、その後、複数の梁11上にパネル（例えばＡＬＣ（軽量気泡コンクリート）パネル、或いはＰＣ（プレキャストコンクリート）パネル等）17を配列して固定し、このパネル17の上部に断熱材18を敷き込み、更に、断熱材18の上面に防水下地ボード19を敷き込んだ後、防水下地ボード19の上面にシート防水15を施工すると共に柱部材13の所定長さ範囲にシート防水15を施工する、という手順で施工される。
【００３９】
柱部材13には取付金具14が取り付けられるが、柱部材13に対する取付金具14の取付位置は対象となる屋上設置物の寸法や形状に応じて異なる。即ち、取付金具14の柱部材13に対する取付位置は一義的に設定されるものではない。このため、取付金具14が柱部材13の外周に施工したシート防水15に損傷を与える虞がある。従って、予め柱部材13に於ける取付金具14の取付範囲を設定しておき、該取付範囲ではシート防水15を施工することなく、メッキ或いは塗装面としておくことが好ましい。そしてシート防水15を施工した部位と施工することのない部位との境界にフランジ13ａを設けることで、シート防水15の施工部位と非施工部位を明確に区画すると共にフランジ13ａによってシート防水15の端部の仕舞を施工することが好ましい。
【００４０】
上記の如く、柱部材13は屋上面との接合部位に於ける防水性能を保証する機能と、取付金具14を取り付ける機能とを有する。このため、前記各機能を明確に分離させ、防水性能を有する下部部材13ｂと、下部部材13ｂの上端に設けたフランジ13ａに着脱可能に接続され取付金具14を取り付ける機能を有する上部部材13ｃとによって構成することが好ましい。
【００４１】
柱部材13は上部部材13ｃに取り付けた取付金具14を介して屋上設置物を支持するものである。しかし、柱部材13に対する屋上設置物の取付方向は一義的に設定されるものではない。このため、柱部材13は強さに方向性のない円筒管であることが好ましい。また柱部材13として円筒管を用いた場合、端部から入り込んだ雨水が屋内に漏水することを防止するために、該円筒管の端部をフランジ13ｄによって閉塞することが必要である。
【００４２】
従って、柱部材13は下部部材13ｂの下端が梁11にボルト16によって固定され、該下部部材13ｂの上部に上部部材13ｃが同様にボルト16によって固定される。そして上部部材13ｃの上下方向の両端にはフランジ13ｄが配置され、これらのフランジ13ｄによって取付金具14の取付範囲が設定される。
【００４３】
尚、柱部材13の上端にフランジ13ｄが設けられるため、人がこのフランジ13ｄに衝突する危険があるため、フランジ13ｄの上部に装飾物、例えば植木鉢20を設けておくことが好ましい。
【００４４】
取付金具14は、平面形状が直角三角形に形成されており、直交する２辺に、柱部材13に固定される固定片14ａと、対象となる屋上設置物を取り付ける取付片14ｂとが形成されている。また固定片14ａ，取付片14ｂには長穴14ｃが形成されている。
【００４５】
固定片14ａは直角三角形からなる本体部14ｄから折り曲げたフランジ状の片として形成されている。しかし取付片14ｂは取付対象である屋上設置物の形状や強度等の条件に応じて、固定片14ａと同様なフランジ状の片として、或いは本体部14ｄの面を利用して形成されている。即ち、取付片14ｂは必ずしもフランジ片として形成されるものではなく、対象に応じて最も安定した取り付けを実現し得る形状で形成される。
【００４６】
また前述した屋上の設計方法に於いて説明したように、屋上に配置された屋上設置物の位置或いは取付部は、必ずしも梁11の位置（固定金具12の位置）に一致するものではなく、且つ固定金具12からの離隔距離も全ての屋上設置物が等距離にあるわけではない。従って、取付金具14に於ける固定片14ａ，取付片14ｂが異なる寸法を持った複数種類の取付金具14が用意されており、対象となる屋上設置物に対応して選択的に用いるようにしている。
【００４７】
取付金具14を柱部材13に固定する場合、図５（ａ）に示すように両端部にボルト21ａを設けた可撓性を有するバンド21とナット22とを組み合わせて使用し、或いは同図（ｂ）に示すようにＵボルト23とナット22とを組み合わせて使用する。
【００４８】
例えば、バンド21を用いる場合、バンド21の本体部分を柱部材13の外周に接触させてボルト21ａを固定片14ａの長穴14ｃに差し込んでナット22を締結することで、取付金具14を柱部材13に固定することが可能である。この場合、バンド21の柱部材13に対する接触面積が大きくなり、ズレやガタツキのない安定した状態で固定することが可能である。またＵボルト23を用いる場合、Ｕボルト23と固定片14ａとによって柱部材13を挟み込むようにして両端のボルト部分を固定片14ａの長穴14ｃに差し込んでナット22を締結することで、取付金具14を柱部材13に固定することが可能である。この場合、Ｕボルト23の断面積はバンド21の断面積よりも大きいため、高い強度を発揮することが可能である。
【００４９】
柱部材13に取り付ける取付金具14の数は限定されるべきものではなく、柱部材13の近傍に配置された屋上設置物の位置及び数に応じて、２個〜３個程度取り付けることが可能である。即ち、屋上Ａに配置された屋上設置物の位置によっては、１個の固定金具12によって複数の屋上設置物を取り付けることが可能となる。例えば図４及び図５（ｂ）は、柱部材13に２個の取付金具14を固定することによって２つの屋上設置物（温室２，物置４）を取り付けた状態を示している。
【００５０】
次に、固定金具12に屋上設置物を取り付ける例について説明する。
【００５１】
先ず、図５（ａ）によって物干し台６を取り付ける場合の例を説明する。図に於いて物干し台６は、円筒管によって形成され物干し竿を支持する支持部材６ａと、コンクリートのブロックからなる台座６ｂとによって構成されている。そして挟持片24によって支持部材６ａを取付金具14の取付片14ｂに挟み込むことで、物干し台６を柱部材13を介して建物の躯体（梁11）に取り付けることが可能である。
【００５２】
上記の如くして躯体に取り付けられた物干し台６では、重量は台座６ｂを介して屋上Ａの屋上面に伝達されて支持される。また風の影響によって支持部材６ａが倒れる方向の力が作用したとき、この力は取付金具14の取付片14ｂと挟持片24，柱部材13を介して躯体に伝達されて支持される。このため、物干し台６の転倒を防止することが可能となる。
【００５３】
図６（ａ）〜（ｃ）は屋上設置物としての温室２を躯体に取り付ける構造を説明する図である。本実施例に於いて用いる温室２は、フレームがアルミニウムの押出成形材を用いて構成されており、充分に高い剛性と強度を有している。
【００５４】
温室２を屋上Ａに設置する場合、この屋上Ａが雨水を自然流下させるための水勾配（図６（ｂ）に点線と実線で示す）を有するため、予め外周に沿って水勾配を吸収するための枕25を設けておき、この枕25上に温室２を設置することで、該温室２の水平状態を保持し得るように構成されている。
【００５５】
温室２のベース部材２ｂには外側にフランジ２ｃが形成されているため、このフランジ２ｃに取付金具14の本体部14ｄに形成された取付片14ｂを重ねてボルト16によって締結することで、温室２を取付金具14，柱部材13を介して躯体に取り付けることが可能である。
【００５６】
上記取付構造では温室２の重量は枕25を介して屋上Ａの屋上面に支持される。また風や地震時に温室２に作用する水平力は取付金具14を介して柱部材13に作用し、更に躯体に伝達されて支持される。特に、水平力が作用した柱部材13には、屋上面を支点とし取付金具14の固定位置を作用点とする曲げ力が作用することとなる。しかし、柱部材13の曲げ強さ等は予め想定される曲げ力に対抗し得るように設計されているため、温室２に作用する水平力を充分に安定した状態で支持することが可能である。
【００５７】
特に、温室２に瞬間的に大きい水平力が作用し、この力に伴って温室２にズレが生じた場合、このズレは、例えば取付金具14の固定片14ａに於けるバンド21が長穴14ｃの内部でズレることで吸収される。従って、柱部材13に極端に過大な曲げ力が作用することがない。
【００５８】
更に、温室２が瞬間的に作用する水平力によって位置がズレた場合、温室２の内部に収容された花卉類を外に取り出した後、容易にズレた位置を修正することが可能である。
【００５９】
また温室２に転倒するような水平力が作用した場合、取付金具14は柱部材13に沿って上端側のフランジ13ｄの方向に移動し、該フランジ13ｄに衝突する。このとき、柱部材13には梁11からの引抜き力が作用するものの、取付金具14が柱部材13から抜けることはなく、従って、温室２の転倒を防止することが可能である。
【００６０】
図７（ａ）〜（ｃ）は屋上設置物としての物置４を躯体に取り付ける構造を説明する図である。本実施例に於いて用いる物置４は僅かな力に応じて変形する比較的に薄い鋼板によって構成した床フレーム４ｂを有している。このため、取付金具14と物置４を接続する場合、多数の点によることが好ましい。また取付金具14と物置４の床フレーム４ｂとの間に取付片14ｂよりも充分に長い接続部材、或いはＬ字型に形成した接続部材26を設けている。
【００６１】
温室２を屋上Ａに設置する場合、温室２と同様な枕25を介在させて水平な状態を保持し、床フレーム４ｂに例えば多数のタッピングビス27によって接続部材26を取り付け、更に、この接続部材26をボルト16によって取付金具14の取付片14ｂに取り付けることで、接続部材26，取付金具14，柱部材13を介して躯体に取り付けることが可能である。
【００６２】
特に、床フレーム４ｂが変形し易いため、該床フレーム４ｂに僅かな力が作用して変形した場合でも、この変形が取付金具14を柱部材13の周囲に回転させるような力を作用させる。従って、取付金具14を柱部材13に固定する際にＵボルト23を用いたような場合では、該Ｕボルト23と柱部材13との接触面積が小さくなって容易に回転することがあり、取付状態が不安定となり、且つこのときの交番荷重によって床フレーム４ｂが金属疲労を起こす虞がある。このため、バンド21を用いて取付金具14を柱部材13に固定することが好ましい。
【００６３】
また物置４に瞬間的に大きな水平力が作用して位置ズレが発生した場合、前述した温室２の場合と同様に、この位置ズレを吸収することが可能であり、且つズレた位置を容易に復帰させることも可能である。
【００６４】
図８（ａ）〜（ｃ）は物置４に隣接させて設置した木製のスクリーン５を躯体に取り付ける取付構造を説明する図である。尚、前述した物置４に対する取付構造は符号を付して説明を省略する。
【００６５】
本実施例に於いて、スクリーン５は主として蔓草をからめたり、小形のプランターを取り付ける機能を有するものであり。外周に配置された枠体５ａと、枠体５ａに固定したラチス材５ｂとによって構成されている。ラチス材５ｂは比較的薄い木材を斜めに交差させて構成されており、大きい力が作用したとき、破壊されることがある。
【００６６】
このため、ラチス材５ｂの一方の面に補強材28を添え、他方の面に挟持片24を添え、両者をボルト16によって締結することで、スクリーン５を取付金具14，柱部材13を介して躯体に取り付けることが可能である。
【００６７】
【発明の効果】
以上詳細に説明したように本発明に係る屋上設置物の取付構造では、屋上設置物の位置や方向に関わらず取り付けることが出来、且つ１つの固定金具に複数の取付金具を取り付けて複数の屋上設置物を取り付けることが出来る。このため、屋上のスペースを有効に活用することが出来る。
【００６８】
屋上設置物の取付構造を標準化することによって設計や部品及び施工の標準化をはかることが出来る。また取付構造が簡易なため、殆どの屋上設置物に対応することが出来、力学的な安定性を確保することが出来る。
【図面の簡単な説明】
【図１】  屋上を設計する際の工程を説明するフロー図である。
【図２】  図１の工程に於ける要所を表す図である。
【図３】  屋上の設計例を示す図である。
【図４】  屋上設置物の取付構造を説明する縦断面図である。
【図５】  屋上設置物の取付構造を説明する平面図である。
【図６】  温室を取り付ける構造を説明する図である。
【図７】  物置を取り付ける構造を説明する図である。
【図８】  木製のスクリーンを取り付ける構造を説明する図である。
【符号の説明】
Ａ                  屋上
１                  手摺り
２                  温室
２ａ                菜園スペース
２ｂ                ベース部材
２ｃ                フランジ
３                  簡易水耕栽培器
４                  物置
４ａ                作業スペース
４ｂ                床フレーム
５                  スクリーン
５ａ                枠体
５ｂ                ラチス材
６                  物干し台
６ａ                支持部材
６ｂ                台座
７                  スカイフレーム
７ａ                ホビー休息スペース
８                  遊具
８ａ                プレイスペース
９                  ペントハウス
10                  花壇
10ａ                緑化スペース
11                  梁
12                  固定金具
13                  柱部材
13ａ，13ｄ          フランジ
13ｂ                下部部材
13ｃ                上部部材
14                  取付金具
14ａ                固定片
14ｂ                取付片
14ｃ                長穴
14ｄ                本体部
15                  シート防水
16                  ボルト
17                  パネル
18                  断熱材
19                  防水下地ボード
21                  バンド
21ａ                ボルト
22                  ナット
23                  Ｕボルト
24                  挟持片
25                  枕
26                  接続部材
27                  タッピングビス
28                  補強材
【図１】
0004573384.tif 000002
【図２】
0004573384.tif 000003
【図３】
0004573384.tif 000004
【図４】
0004573384.tif 000005
【図５】
0004573384.tif 000006
【図６】
0004573384.tif 000007
【図７】
0004573384.tif 000008
【図８】
0004573384.tif 000009